(57)【要約】      （修正有）【課題】装着時、舌体表面や舌先の接触による異物感や違和感をなくし、異物拒絶反応を抑制する上顎用入れ歯を提供する。【解決手段】人工歯が馬蹄型状に並設され口腔内の上顎部の歯茎に嵌装される凹部を備えた歯茎嵌装部３と、上顎部の口蓋（口腔内のアーチ型をなす上壁）に面接合される口蓋接合部４とが一体に連成されてなる。口蓋接合部４における舌体との接触面６を、舌体に常態感を与える加工を施した感舌面１１で構成する。【選択図】図１
0003176624.tif 000002
【実用新案登録請求の範囲】
【請求項１】
人工歯が馬蹄型状に並設され口腔内の上顎部の歯茎に嵌装される凹部を備えた歯茎嵌装部と、上顎部の口蓋（口腔内のアーチ型をなす上壁）に面接合される口蓋接合部とが一体に連成されてなる上顎用入れ歯において、前記口蓋接合部における舌体との接触面が、舌体に常態感を与える加工を施した感舌面で構成されていることを特徴とする上顎用入れ歯。
【請求項２】
前記感舌面は、粒子を浮き出し加工した粒子浮き出し面である請求項１に記載の上顎用入れ歯。
【請求項３】
前記感舌面は、皺を浮き出し加工した皺浮き出し面である請求項１に記載の上顎用入れ歯。
【請求項４】
前記感舌面は、表面を波型状に凹凸加工した波型面である請求項１に記載の上顎用入れ歯。
【請求項５】
前記感舌面は、格子模様又は網目模様を浮き出し加工した格子又は網目模様面である請求項１に記載の上顎用入れ歯。
【請求項６】
前記感舌面は、前記人工歯の歯列に沿いながらこの歯列に近接又は接触させて前記口蓋接合部の中央域に施されている請求項２ないし請求項５のいずれかに記載の上顎用入れ歯。
【考案の詳細な説明】
【技術分野】
【０００１】  本考案は、人の口腔内の上顎部に装着する上顎用入れ歯の改良に関するものである。
【背景技術】
【０００２】  口腔内の上顎部に生えていた自然歯の全てが、あるいはその１〜２本を残して大半が抜けてしまったような場合、人工歯を馬蹄形状に並設した総入れ歯又は残った歯を生かす嵌め孔付きの総入れ歯に準ずるような入れ歯を上顎部に接合保持して使用している。【０００３】  その代表例を図６に示す。この上顎用入れ歯１は、人工歯２が馬蹄形状に並設され、上顎部の歯茎（図示せず。）に嵌装される凹部を備えた歯茎嵌装部３と、上顎部の口蓋（口腔内のアーチ型をなす上壁）に面接合させる口蓋接合部４とが一体に連成されてなっている。なお、上顎部に残り歯が存在する場合には、歯茎嵌装部３の残り歯対応箇所にこれを活かす嵌合孔５が形成されていることもある。【０００４】  ところで、上顎部に自然歯が十分に生え揃っていて、入れ歯の必要のない口腔内の口蓋には、上顎部の中央から斜めにでこぼこしたシワのようなもの（医学用語では「口蓋皺襞（こうがいすうへき」という。）があり、人の日常生活において、口腔内の舌体表面（特に舌先）は、常にこの「口蓋皺襞」に何の違和感もなく無意識のうちに接触している。【０００５】  ところが、図６に示すように、上顎部に自然歯がなくなり、上顎用入れ歯１を嵌めることを余儀なくされると、本来舌先が接触すべき「口蓋皺襞」は口蓋接合部４によって完全に隠されてしまう。そして、口蓋接合部４における舌体との接触面６には今まで何ら加工への配慮が払われておらず、その全面は鏡面のままであるため、舌体表面は常時つるつるした接触面６に触れることになる。すると、舌体表面や舌先には、前記「口蓋皺襞」で覚えていた無意識の接触感とはかけ離れた違和感が生じ、これが不快感となって異物拒絶反応を惹き起こし、吐き気等を催す結果になっている。そのため、食物が喉を通らず、咀嚼もままならないといった本来楽しくあるべき摂食をも阻害する状況に陥ることがあるのも現状である。【０００６】  そこで、前記舌体の違和感をなるべく減らすべく、口蓋接合部４の中程に床穴７を形成し、舌体の一部がこの床穴７を通して直に口蓋に接触するようにした技術が実開平５−７０５１８号として提案されている（特許文献１）。
【先行技術文献】
【特許文献】
【０００７】
【特許文献１】実開平５−７０５１８号
【考案の概要】
【考案が解決しようとする課題】
【０００８】  しかし、舌体が感じ取る異物感や違和感は、多くは舌先に集中しているにも拘わらず、特許文献１の技術では、床穴７が口蓋接合部４の中程にあることから、舌体表面が直に触れるのは口蓋の中央上壁あたりに限られ、舌先が本来触れるはずの「口蓋皺襞」はその口蓋接合部４で隠されてしまう。そのため、舌先は、依然として鏡面状態のままの接触面５との接触を避けられず、その鏡面接触が舌先に異物感や違和感を生じさせることともなり、この異物感等による異物拒絶反応は依然として避けられない。【０００９】  本考案は、上顎用入れ歯の装着時において、舌体表面や舌先の接触による異物感や違和感をなくし、異物拒絶反応を抑制することを目的とする。
【課題を解決するための手段】
【００１０】上記目的を達成するための本考案は、以下に記した特徴を有する。すなわち、人工歯が馬蹄形状に並設され口腔内の上顎部の歯茎に嵌装される凹部を備えた歯茎嵌装部と、上顎部の口蓋（口腔内のアーチ型をなす上壁）に面接合される口蓋接合部とが一体に連成されてなる上顎用入れ歯において、前記口蓋接合部における舌体との接触面が、舌体に常態感を与える加工を施した感舌面で構成されていることを特徴としている。
【考案の効果】
【００１１】  口上顎用入れ歯における口蓋接合部の舌体との接触面を、前記のような感舌面とすることにより、その装着時、舌体の感舌面への接触が常態化して舌体表面や舌先では異物感や違和感を覚えなくなり、異物拒絶反応を抑制することができる。【００１２】  感舌面としては、粒子を浮き出し加工した粒子浮き出し面（請求項２）、皺を浮き出し加工した皺浮き出し面（請求項３）、波型状に凹凸加工した波型面（請求項４）及び格子模様又は網目模様を浮き出し加工した格子又は網目浮き出し面が好ましい。このような加工面とすることより、その表面が舌体表面や舌先に馴染み、舌体自体が接触への常態感さえ覚えて異物感や違和感を払拭させることができる。なお、このような各感舌面は、人工歯の歯列に沿いながらこの歯列に近接又は接触させて口蓋接合部の中央域に施されるのが好ましい。
【図面の簡単な説明】
【００１３】
【図１】  本考案による上顎用入れ歯の第一の実施例を示す底面図である。
【図２】  本考案の第二の実施例による中央域加工部分の底面図である。
【図３】  本考案の第三の実施例による中央域加工部分の底面図である。
【図４】  本考案の第四の実施例による中央域加工部分の底面図である。
【図５】  本考案の第五の実施例による中央域加工部分の底面図である。
【図６】  従来の上顎用入れ歯の底面図である。
【考案を実施するための形態】
【００１４】  以下に、本考案の実施の形態を図面に基づいて説明する。本考案による上顎用入れ歯１０は、図１に示すように、口腔内の上顎部の歯茎に嵌め付ける凹部を有し、下方に向く人工歯２が馬蹄形状に並設されている歯茎嵌装部３と、上顎部の口蓋に面接合される口蓋接合部４が一体に連成されている。なお、上顎部に残り歯が存在する場合には、歯茎嵌装部３の残り歯対応箇所には、これを活かす嵌合孔５が形成されることもある。ここまでの構成は従来技術と異なるところはない。
【００１５】  本考案では、この口蓋接合部４における舌体との接触面６の全面またはほぼ全面が、感舌面１１として構成されている。この感舌面１１は、舌体に常態感を感じさせる加工が施されたもので、この実施例では、粒子を浮き出し加工した粒子浮き出し面１１ａが選択されている。加工法としては、型取り等の常法で行われるのが一般的であるが、切削等の他の方法での面形成も可能である。
【００１６】  前記実施例による上顎用入れ歯１０によると、装着時において、舌体表面や舌先が粒子浮き出し面１１ａに常時接触することになるが、この粒子浮き出し面１１ａの細やかなザラザラ感が舌体に快く伝わることとなり、この接触が常態化して異物感や違和感が払拭され、長時間での装着が可能となる。
【００１７】  図２には、本考案の第二の実施例が示されている。この実施例では、前記第一の実施例による粒子浮き出し面１１ａが、人工歯２の歯列に沿いながらこの歯列に近接又は接触させて口蓋接合部４の中央域ＣＡに施されている。図２は近接例である。この中央域ＣＡは、主に舌体の舌先が触れるあたりで、場所的には、口腔内の口蓋内壁にある「口蓋皺襞」の存在域とほぼ一致する。したがって、舌先は、この「口蓋皺襞」対応位置の中央域ＣＡに施された粒子浮き出し面１１ａと常時接触することとなる。これによる効果及び面加工法は、第一の実施例に準ずる。
【００１８】  図３には、本考案の第三の実施例が示されている。この実施例では、口蓋接合部４の中央域ＣＡに、皺を浮き出し加工した皺浮き出し面１１ｂが施されている。この皺浮き出し面１１ｂは、前記の「口蓋皺襞」を模したものであるので、正に「口蓋皺襞」特有の感触が得られる。したがって、装着時、舌先には何の異物感や違和感も生じず、むしろ、無意識のうちに常態感すら得られることになる。その他の構成及び面加工法は、第二の実施例に準ずる。
【００１９】  図４には、本考案の第四の実施例が示されている。この実施例では、口蓋接合部４の中央域ＣＡに、表面を波型状に凹凸加工した波型面１１ｃが施されている。したがって、舌先がこの波型面１１ｃに接触すると、快いでこぼこ感が得られ、遺物感や違和感は払拭されることになる。その他の構成及び面加工法は、第二の実施例に準ずる。
【００２０】  図５には、本考案の第五の実施例が示されている。この実施例では、口蓋接合部４の中央域ＣＡに、格子模様又は網目模様を浮き出し加工した格子又は網目模様面１１ｄが施されている。したがって、装着時、この格子又は網目模様面１１ｄに舌先が触れることにより、程よいごろごろ感が得られる。これによる効果、その他の構成及び面加工法は、第二の実施例に準ずる。
【００２１】  なお、図１では、接触面６の全面又はほぼ全面が粒子浮き出し面１１ａとなった実施例が示されているが、この実施例の他、全体形状の図示は省略するが、接触面６の全面又はほぼ全面を、皺浮き出し面１１ｂ、波型面１１ｃあるいは格子（網目）浮き出し面１１ｄとすることも、本考案の範囲に含まれる。
【産業上の利用可能性】
【００２２】  前記上顎用入れ歯１０は、通常は着脱式であるが、インプラントによる固定式のものにも適用することが可能である。
【符号の説明】
【００２３】１，１０  上顎用入れ歯
２  人口歯
３  歯茎嵌装部
４  口蓋接合部
５  嵌合部
６  接合面
１１ａ  粒子浮き出し面
１１ｂ  皺浮き出し面
１１ｃ  波型面
１１ｄ  格子又は網目浮き出し面
ＣＡ  中央域
【図１】
0003176624.tif 000003
【図２】
0003176624.tif 000004
【図３】
0003176624.tif 000005
【図４】
0003176624.tif 000006
【図５】
0003176624.tif 000007
【図６】
0003176624.tif 000008